【事件の表示】
　特許第２９１３２９６号「パチンコ機の制御装置」の請求項１に係る特許に対する特許異議の申立てについて、次のとおり決定する。
【結　論】
　訂正を認める。
　特許第２９１３２９６号の請求項１に係る特許を維持する。
【理　由】
１．手続きの経緯
　本件特許第２９１３２９６号の請求項１、２に係る発明は、特願昭６２−３３４０１１号（昭和６２年１２月２８日出願）に記載された発明の一部を平成１０年６月１６日に新たに特許出願したものであり、その特許は平成１１年４月１６日に設定登録された。その後、平成１１年１２月２８日に細江裕美より特許異議の申立てがあり、これを受けて平成１２年４月２０日付け取消理由通知がなされ、平成１２年７月７日付け特許異議意見書と共に訂正請求がなされた。これに対して平成１２年９月４日付け訂正拒絶理由通知がなされ、平成１２年１１月１３日付け特許異議意見書と共に手続補正書（訂正請求書）が提出された。
２．訂正の内容とその適否について
（１）訂正の内容
　上記手続補正は、訂正請求書の要旨を変更するものではないから、特許権者が求めている訂正の内容は、特許明細書を上記手続補正で補正された訂正明細書のとおりに訂正しようとするものである。すなわち、
（イ）特許請求の範囲の訂正
（イ−１）請求項１を以下のとおり訂正する。
「１．遊技盤がパチンコ機本体に対して分離可能なパチンコ機において、パチンコ機背面に、ＣＰＵによって制御され、遊技内容又は仕様が異なる複数種の前記パチンコ機にそれぞれ共通使用可能な共通プログラムが格納されているＲＯＭを備えた共通回路、及び遊技内容又は仕様が異なる複数種の各パチンコ機にそれぞれ固有な非共通プログラムが格納されている非共通ＲＯＭを備えた非共通回路を設けた基板と、仕様の異なる複数機種のパチンコ機に対して共通に使用可能な賞品球払出装置または打球装置の、上記共通回路によって制御される機構部を設け、遊技盤には、上記非共通回路によって制御される入賞装置及び表示灯を設け、上記共通回路には、上記機構部の制御を行う基本プログラムが格納された共通ＲＯＭを設けると共に、少なくともＣＰＵ及び前記共通ＲＯＭとが一体に形成されている集積回路からなり、上記非共通回路には、遊技の制御手順固有のプログラムを格納した非共通ＲＯＭを設けたことを特徴とするパチンコ機の制御装置。」
（イ−２）請求項２を削除する。
（ロ）発明の詳細な説明の欄の訂正
（ロ−１）段落【００１５】を、以下のとおり訂正する。
「【００１５】
【課題を解決するための手段】
　本発明は上記課題を解決するために、請求項１に係る発明においては、遊技盤１９がパチンコ機本体に対して分離可能なパチンコ機において、パチンコ機背面に、ＣＰＵによって制御され、遊技内容又は仕様が異なる複数種の前記パチンコ機にそれぞれ共通使用可能な共通プログラムが格納されているＲＯＭを備えた共通回路８、及び遊技内容又は仕様が異なる複数種の各パチンコ機にそれぞれ固有な非共通プログラムが格納されている非共通ＲＯＭを備えた非共通回路９を設けた基板と、仕様の異なる複数機種のパチンコ機に対して共通に使用可能な賞品球払出装置６または打球装置７の、上記共通回路８によって制御される機構部を設け、遊技盤１９には、上記非共通回路９によって制御される入賞装置及び表示灯を設け、上記共通回路８には、上記機構部の制御を行う基本プログラムが格納された共通ＲＯＭ３２を設けると共に、少なくともＣＰＵ及び前記共通ＲＯＭとが一体に形成されている集積回路からなり、上記非共通回路９には、遊技の制御手順固有のプログラムを格納した非共通ＲＯＭ２０を設けたことを特徴とする。
（ロ−２）段落【００１６】を削除する。
（ロ−３）段落【００１７】を以下のとおり訂正する。
「【００１７】
　本発明において、遊技機器の制御装置は上記のように構成され、遊技盤１９はパチンコ機本体に対して分離可能になされている。パチンコ機の背面に設けられる基板には、機種に共通な共通回路８及び機種により異なる非共通回路９が備えられて、両者はＣＰＵによって制御される。また、上記基板には、仕様の異なる複数機種のパチンコ機に対して共通に使用可能な賞品球払出装置６または打球装置７の機構部が設けられる。そして、上記共通回路８によってこの機構部を制御する。遊技盤１９には、入賞口２４、入賞をパチンコ球の近接したことによって検知する近接センサや特定の入賞状態を検知するとともに、特定の入賞を表す信号を発生させる特定入賞検知スイッチ、入賞装置である開閉翼、及び入賞したときに入賞状態によって点灯する表示灯が設けられ、これらは上記非共通回路９によって制御される。また、上記共通回路８には、上記機構部の制御を行う基本プログラムが格納された共通ＲＯＭ３２が設けられ、上記非共通回路９には、遊技の制御手順固有のプログラムを格納した非共通ＲＯＭ２０が設けられる。さらに、前記共通回路８は、少なくともＣＰＵ及びＲＯＭとが一体に形成されている集積回路からなることによって、共通回路の交換を容易にし、また集積回路には不正行為を施すことを困難にする。」
（ロ−４）段落【００２０】を以下のとおり訂正する。
「【００２０】
　パチンコ機２は本体である中枠12と、中枠12にヒンジ15によって開閉可能な外枠14と、中枠12に設けた遊技盤収納枠16とを主構成としている。この遊技盤収納枠16には遊技盤19がロック部材18によって着脱可能に設けてある。さらに、44は上皿、45は下皿、46はガラス枠、47は遊技盤19に設けた凸部（図示省略）を収容する収容穴、48は遊技盤19に係合して遊技盤19を収容する収容凹部である。」
（ロ−５）段落【００２２】を以下のとおり訂正する。
「【００２２】
　打球開始スイッチ21はパチンコ機２の表側右下に設けたハンドル23に内蔵され、ハンドル23の操作によって接点を閉じ打球（遊技）開始を表わす信号を発生させる。」
（ロ−６）段落【００２７】を以下のとおり訂正する。
「【００２７】
　基板36は出力装置10を制御するための制御回路29を構成する電子部品と、基板36に設けたプリント配線（図示省略）とからなるもので、第１図に破線で示すように、共通回路８および非共通回路９に分けられている。共通回路８は遊技内容または仕様が異る複数種のパチンコ機２にそれぞれ共通使用可能であり、非共通回路９は前記複数種の各パチンコ機２に固有なものである。したがって、非共通回路９は異機種の各パチンコ機間における共通使用は不可能である。」
（ロ−７）段落【００３４】を以下のとおり訂正する。
「【００３４】
【発明の効果】
　本発明は以上のように構成したものであって、パチンコ機全体を本体側と遊技側に分離可能とし、各機種の制御に共通な部分は本体側のＲＯＭに設けられ、機種に応じて制御が異なる部分、特に遊技の制御手順に固有のプログラムは、遊技盤側のＲＯＭに格納されているので、設計管理や、補修がやり易くなる。遊技機器を他機種に交換するとき、集積回路によって構成した共通回路または非共通回路を遊技機器の種類に応じて、本体側と遊技側に分離されているので容易かつ確実に交換することができ、また集積回路には不正行為を施すことが困難になる。このため、交換作業および交換作業後の各種検査に要する工数が短縮するとともに、基板の信号線デザインおよび回路設計など基板設計上の制限が緩和される。また、集積回路には不正行為を施すことが困難になるために、プログラムの書き換え、ハード（基板、電子部品）の加工など不正行為の防止対策に充分な効果を有する。」
（ハ）図面の訂正
（ハ−１）第１図の参照符号「３６」を「３２」と訂正する。
（ハ−２）第５図の参照符号「３７」を「３１」と訂正する。
（２）訂正の目的の適否及び拡張・変更の存否
　特許請求の範囲の上記訂正は、特許明細書及び図面に記載された事項の範囲内であり、かつ特許請求の範囲の減縮を目的とするものであって、実質上特許請求の範囲を拡張し、又は変更するものではない。
　また、発明の詳細な説明の欄の上記（ロ−１）ないし（ロ−３）、（ロ−６）、（ロ−７）の訂正は、特許明細書及び図面に記載された事項の範囲内であり、かつ上記特許請求の範囲の訂正内容との整合性を図るべく明瞭でない記載の釈明と誤記の訂正を目的とするものである。さらに、発明の詳細な説明の欄の上記（ロ−４）、（ロ−５）及び図面の上記訂正は誤記の訂正を目的とするものであって、実質上特許請求の範囲を拡張し、又は変更するものではない。
（３）独立特許要件について
（３−１）請求項１に係る発明の要旨
　訂正明細書の請求項１に係る発明の要旨（以下、訂正明細書の発明という）は、明細書及び図面の記載からみて、その特許請求の範囲の請求項１に記載された事項により特定されるものである（前記２．（１）（イ−１）訂正の内容参照）。
（３−２）引用刊行物記載の発明
　本件特許の出願日前に頒布された刊行物である特開昭６２−１８３７７９号公報（以下、引用例１という）、特開昭５８−９２３８０号公報（以下、引用例２という）、特開昭５５−１３３２７４号公報（以下、引用例３という）には、それぞれ以下の発明が記載されている。
（引用例１）
「２．特許請求の範囲
（１）遊技機に設けられた入力部材からの信号を受けて、遊技機に設けられた出力部材を制御する回路基板を、多種類の遊技機で共通的に使用できる共通回路部を備える共通回路基板と、各種類別の遊技機に特有の制御をする種類別回路部を備える種類別回路基板とで構成し、種類別回路基板を共通回路基板に対して着脱自在にしたことを特徴とする、遊技機の制御基板。
　・・・・・
（４）前記遊技機は、遊技盤を取替えることによって、該遊技盤に設けられている前記出力部材を交換可能なパチンコ遊技機である、特許請求の範囲第１項記載の遊技機の制御基板。」（特許請求の範囲）
「この発明は、制御基板を主制御部と副制御部とで構成し、遊技盤の変更によるゲーム内容の変更に対し、副制御部だけを交換することにより対処可能にした制御基板を提供することを主たる目的としている。」（第２頁右上欄第１２行〜第１６行）
「共通回路基板１２には、中央処理装置（ＣＰＵ）およびランダムアクセスメモリ（ＲＡＭ）を含む集積回路チップ２４、リードオンメモリ（ＲＯＭ）を含む集積回路チップ２６、電源回路集積回路チップ２８、音発生回路集積回路チップ３０を含んでいる。ＲＯＭ集積回路チップ２６には、各種類別のパチンコ遊技機特有の制御プログラムが格納されているが、この実施例では、共通回路基板１２の方に取付けられている。そのため、種類別回路基板１４の交換時に、ＲＯＭ集積回路チップ２６も交換できるように、ＲＯＭ集積回路チップ２６は、共通回路基板１２上にコネクタ３２を取付け、該コネクタ３２に対して着脱自在に設けられている」（第２頁右下欄第１６行〜第３頁左上欄第９行）
「ＲＯＭ集積回路チップ２６は、共通回路基板１２に設けるのではなく、種類別回路基板１４上に直接取付けるのがよい。」（第４頁左下欄１６行〜１９行）
「種類別回路基板１４は、この制御基板１０が取付けられるパチンコ遊技機の種類に応じて交換されるもので、所定の種類別回路基板１４が選ばれ、図示ように共通回路基板１２と電気的に結合される」（第３頁右上欄第１５行〜第１９行）
「第５図は、第４図に示す第４の実施例をパチンコ遊技機８０の機構板８１に取付ける場合を表わす図である。」（第４頁右下欄第３行〜第５行）
「第６図は、この発明の一実施例の制御基板１０を含むパチンコ機８０の正面図である。第７図を参照して、パチンコ機８０は、前面枠８２に取替え可能なように着脱自在に装着された遊技盤８４を含む。遊技盤８４のほぼ中央部には、前述した制御基板１０によって制御される可変表示装置８６が設けられ、その下には可変表示装置８６の表示態様に基づいて開閉制御される開閉板８８を含む９０が設けられている。可変入賞球装置９０も、上記制御基板１０によって制御される。可変入賞球装置９０は、開閉板８８が前方に開いたとき、そこに横長の入賞開口が現れるようにされている。可変表示装置８６の左右両側および下側中央には、始動入賞孔９２ａ、９２ｂ、９２ｃが設けられている」（第４頁右下欄第１７行〜第５頁左上欄第１１行）
「パチンコ遊技機８０には、さらに、打球供給皿１０６に内蔵された効果音発生用のスピーカ１０８および数多くの表示ランプが設けられており、これらも制御基板１０によって制御される」（第５頁右上欄第１７行〜第２０行）
「第１１図において、２点鎖線１２で囲った各回路が、第５図で説明した制御基板１０のうち、共通回路基板１２に備えられている。また、２点鎖線１４で囲った各回路は、種類別回路基板１４に備えられている」（第６頁右上欄第１５行〜第１９行。なお、第１１図中、符号１１は符号１４の誤記と認められる。）
「この発明は、遊技機に設けられ、電気的に制御される各制御部材を制御するための制御基板を、多種類の遊技機で共通的に使用できる共通回路基板と、種類別の遊技機に特有の制御を行なうための種類別回路基板とで構成し、両者を着脱自在にしたので、遊技盤の取替えやゲーム内容の細かな変更等に伴う制御回路の取替えが必要なときに、必要な回路部分だけを取替えることができ、安価に、かつ回路部品を節約しながら制御回路を提供することができる。」（第９頁左下欄第１行〜第１０行）
（引用例２）
「第１図において、パチンコ機のセーフ球検出装置１、アウト球検出装置２、電動ヤクモノ３、賞球表示ランプ４、打止表示ランプ５、賞球送出装置６、打出装置７等の遊技機の端末機は、電子制御装置８内の入出力制御装置９を介してＣＰＵ１０に接続されており、ＣＰＵ１０にはＲＯＭ・・・１１、ＰＲＯＭ・・・１２、ＲＡＭ・・・１３、プログラム書込操作部１４がそれぞれ接続されている。」（第２頁左上欄第９行〜第１８行）
（引用例３）
「２．特許請求の範囲
（１）ＣＰＵ、入出力コントローラ、ＲＡＭ及びＲＯＭからなるマイクロコンピューターの構成要素が一つの素子上に形成された半導体素子により構成されたことを特徴とする弾球遊戯機。」（特許請求の範囲）
「本発明の弾球遊戯機はＣＰＵ、入出力コントローラ、ＲＡＭ及びＲＯＭ全てのマイクロコンピューターの構成要素が一つの素子上に形成された半導体素子より構成されたことを特徴とするため、従来の弾球遊戯機が有していたような種々の回路のための配線が不要となり、電気制御部の構成が簡単になると共に、前記回路間の接続が不要となり、信号授受が確実に行なわれ、遊戯機の組立工数を減少せしめて機単価を廉価にし、量産がはかれる」（第５頁左下欄第１５行〜同右下欄第５行）
（３−３）対比・判断
　訂正明細書の発明と上記各引用例記載の発明とを対比すると、各引用例記載の発明は、訂正明細書の発明で特定する、「遊技内容又は仕様が異なる複数種のパチンコ機にそれぞれ共通使用可能な共通プログラムが格納されているＲＯＭを備えた共通回路、及び遊技内容又は仕様が異なる複数種の各パチンコ機にそれぞれ固有な非共通プログラムが格納されている非共通ＲＯＭを備えた非共通回路を設け」る構成を備えていない。
　引用例１記載の発明は、遊技機固有のプログラムを格納するＲＯＭを非共通回路に設ける点では、訂正明細書の発明と技術思想が類似しているが、このプログラムを更に共通プログラムと非共通プログラムにまで分けようとするものではない。また、引用例２記載の発明は、遊技機固有の遊技内容に関する定数を、ＰＲＯＭに格納し、外部操作によってこれを書き換え可能とするものであるが、回路までをも共通回路と非共通回路とに分けるものではないから、引用例１及び引用例２記載の発明を組み合わせたとしても、訂正明細書の発明の上記構成を想到し得るとする技術的根拠はない。
　そして訂正明細書の発明は、上記構成によって「遊技の制御手順に固有のプログラムは、遊技盤側のＲＯＭに格納されているので、設計管理や、補修がやり易くなる。」、「遊技機器を他機種に交換するとき、集積回路によって構成した共通回路または非共通回路を遊技機器の種類に応じて、本体側と遊技側に分離されているので容易かつ確実に交換することができ、また集積回路には不正行為を施すことが困難になる。」、「交換作業および交換作業後の各種検査に要する工数が短縮するとともに、基板の信号線デザインおよび回路設計など基板設計上の制限が緩和される。」、「集積回路には不正行為を施すことが困難になるために、プログラムの書き換え、ハード（基板、電子部品）の加工など不正行為の防止対策に充分な効果を有する。」という明細書記載の格別の効果を奏するものである。
　したがって、訂正明細書の発明が上記各引用例記載の発明に基づいて当業者が容易に発明をすることができたものとすることはできない。
（４）むすび
　以上のとおり、上記訂正の内容は特許法第１２０条の４第２項及び同条第３項で準用する同法第１２６条第２ないし４項の規定に適合するから、当該訂正請求を認める。
３．特許異議の申立てについての判断
（１）申立て理由の概要
　申立人細江裕美は、本件特許の請求項１及び請求項２に係る発明は甲第１号証ないし甲第５号証に記載の発明から容易になし得たものであり、特許法第２９条第２項の規定に違反して特許されたものであるから、その特許は同法第１１３条第１項第２号の規定により取り消されるべきである旨主張している。
（２）本件発明
　本件特許の請求項１に係る発明の要旨（以下、本件発明という）は、訂正明細書の特許請求の範囲の請求項１に記載されたとおりのものである（前記２．（２）（イ−１）訂正の内容参照）。
（３）甲号各証に記載された発明及び対比・判断
　申立人が提出した甲第１号証、甲第２号証、甲第３号証は、前記２．（３）独立特許要件の判断で示した引用例２（特開昭５８−９２３８０号公報）、引用例１（特開昭６２−１８３７７９号公報）、引用例３（特開昭５５−１３３２７４号公報）であり、それぞれ２．（３−１）に記載したとおりの事項が記載されている。また、甲第４号証、甲第５号証には、パチンコ機の制御装置に関しデュアル・ワンチップマイクロコンピュータ及びＬＳＩパッケージを利用する技術が開示されている。
　そこで、本件発明と甲号各証記載の発明とを対比すると、前記２．（３−３）対比・判断で示したとおり、甲号各証には、本件発明の構成要件である、「遊技内容又は仕様が異なる複数種のパチンコ機にそれぞれ共通使用可能な共通プログラムが格納されているＲＯＭを備えた共通回路、及び遊技内容又は仕様が異なる複数種の各パチンコ機にそれぞれ固有な非共通プログラムが格納されている非共通ＲＯＭを備えた非共通回路を設け」る構成についての開示も、またこれを示唆する記載もない。
　そして、本件発明は、前記構成によって甲号各証記載の発明が奏しない、明細書記載の格別の効果を奏するものであるから、本件発明が甲号各証記載の発明から容易になし得たものとすることはできない。
（４）むすび
　以上のとおり、申立人が主張する各理由及び各証拠によっては、本件発明に係る特許を取り消すことはできない。
　さらに、本件発明に係る特許を取り消すべき他の理由を発見しない。
　よって、結論のとおり決定する。
【異議決定日】
平成１２年１２月５日（２０００．１２．５）
【訂正の要旨】
訂正の要旨
１．特許請求の範囲の訂正
（１−１）請求項１を以下のとおり訂正する。
「１．遊技盤がパチンコ機本体に対して分離可能なパチンコ機において、パチンコ機背面に、ＣＰＵによって制御され、遊技内容又は仕様が異なる複数種の前記パチンコ機にそれぞれ共通使用可能な共通プログラムが格納されているＲＯＭを備えた共通回路、及び遊技内容又は仕様が異なる複数種の各パチンコ機にそれぞれ固有な非共通プログラムが格納されている非共通ＲＯＭを備えた非共通回路を設けた基板と、仕様の異なる複数機種のパチンコ機に対して共通に使用可能な賞品球払出装置または打球装置の、上記共通回路によって制御される機構部を設け、遊技盤には、上記非共通回路によって制御される入賞装置及び表示灯を設け、上記共通回路には、上記機構部の制御を行う基本プログラムが格納された共通ＲＯＭを設けると共に、少なくともＣＰＵ及び前記共通ＲＯＭとが一体に形成されている集積回路からなり、上記非共通回路には、遊技の制御手順固有のプログラムを格納した非共通ＲＯＭを設けたことを特徴とするパチンコ機の制御装置。」
（２−２）請求項２を削除する。
２．発明の詳細な説明の欄の訂正
（２−１）段落【００１５】を、以下のとおり訂正する。
「【００１５】
　【課題を解決するための手段】
　本発明は上記課題を解決するために、請求項１に係る発明においては、遊技盤１９がパチンコ機本体に対して分離可能なパチンコ機において、パチンコ機背面に、ＣＰＵによって制御され、遊技内容又は仕様が異なる複数種の前記パチンコ機にそれぞれ共通使用可能な共通プログラムが格納されているＲＯＭを備えた共通回路８、及び遊技内容又は仕様が異なる複数種の各パチンコ機にそれぞれ固有な非共通プログラムが格納されている非共通ＲＯＭを備えた非共通回路９を設けた基板と、仕様の異なる複数機種のパチンコ機に対して共通に使用可能な賞品球払出装置６または打球装置７の、上記共通回路８によって制御される機構部を設け、遊技盤１９には、上記非共通回路９によって制御される入賞装置及び表示灯を設け、上記共通回路８には、上記機構部の制御を行う基本プログラムが格納された共通ＲＯＭ３２を設けると共に、少なくともＣＰＵ及び前記共通ＲＯＭとが一体に形成されている集積回路からなり、上記非共通回路９には、遊技の制御手順固有のプログラムを格納した非共通ＲＯＭ２０を設けたことを特徴とする。
（２−２）段落【００１６】を削除する。
（２−３）段落【００１７】を以下のとおり訂正する。
「【００１７】
　本発明において、遊技機器の制御装置は上記のように構成され、遊技盤１９はパチンコ機本体に対して分離可能になされている。パチンコ機の背面に設けられる基板には、機種に共通な共通回路８及び機種により異なる非共通回路９が備えられて、両者はＣＰＵによって制御される。また、上記基板には、仕様の異なる複数機種のパチンコ機に対して共通に使用可能な賞品球払出装置６または打球装置７の機構部が設けられる。そして、上記共通回路８によってこの機構部を制御する。遊技盤１９には、入賞口２４、入賞をパチンコ球の近接したことによって検知する近接センサや特定の入賞状態を検知するとともに、特定の入賞を表す信号を発生させる特定入賞検知スイッチ、入賞装置である開閉翼、及び入賞したときに入賞状態によって点灯する表示灯が設けられ、これらは上記非共通回路９によって制御される。また、上記共通回路８には、上記機構部の制御を行う基本プログラムが格納された共通ＲＯＭ３２が設けられ、上記非共通回路９には、遊技の制御手順固有のプログラムを格納した非共通ＲＯＭ２０が設けられる。さらに、前記共通回路８は、少なくともＣＰＵ及びＲＯＭとが一体に形成されている集積回路からなることによって、共通回路の交換を容易にし、また集積回路には不正行為を施すことを困難にする。」
（２−４）段落【００２０】を以下のとおり訂正する。
「【００２０】
　パチンコ機２は本体である中枠１２と、中枠１２にヒンジ１５によって開閉可能な外枠１４と、中枠１２に設けた遊技盤収納枠１６とを主構成としている。この遊技盤収納枠１６には遊技盤１９がロック部材１８によって着脱可能に設けてある。さらに、４４は上皿、４５は下皿、４６はガラス枠、４７は遊技盤１９に設けた凸部（図示省略）を収容する収容穴、４８は遊技盤１９に係合して遊技盤１９を収容する収容凹部である。」
（２−５）段落【００２２】を以下のとおり訂正する。
「【００２２】
　打球開始スイッチ２１はパチンコ機２の表側右下に設けたハンドル２３に内蔵され、ハンドル２３の操作によって接点を閉じ打球（遊技）開始を表わす信号を発生させる。」
（２−６）段落【００２７】を以下のとおり訂正する。
「【００２７】
　基板３６は出力装置１０を制御するための制御回路２９を構成する電子部品と、基板３６に設けたプリント配線（図示省略）とからなるもので、第１図に破線で示すように、共通回路８および非共通回路９に分けられている。共通回路８は遊技内容または仕様が異る複数種のパチンコ機２にそれぞれ共通使用可能であり、非共通回路９は前記複数種の各パチンコ機２に固有なものである。したがって、非共通回路９は異機種の各パチンコ機間における共通使用は不可能である。」
（２−７）段落【００３４】を以下のとおり訂正する。
「【００３４】
　【発明の効果】
　本発明は以上のように構成したものであって、パチンコ機全体を本体側と遊技側に分離可能とし、各機種の制御に共通な部分は本体側のＲＯＭに設けられ、機種に応じて制御が異なる部分、特に遊技の制御手順に固有のプログラムは、遊技盤側のＲＯＭに格納されているので、設計管理や、補修がやり易くなる。遊技機器を他機種に交換するとき、集積回路によって構成した共通回路または非共通回路を遊技機器の種類に応じて、本体側と遊技側に分離されているので容易かつ確実に交換することができ、また集積回路には不正行為を施すことが困難になる。このため、交換作業および交換作業後の各種検査に要する工数が短縮するとともに、基板の信号線デザインおよび回路設計など基板設計上の制限が緩和される。また、集積回路には不正行為を施すことが困難になるために、プログラムの書き換え、ハード（基板、電子部品）の加工など不正行為の防止対策に充分な効果を有する。」
（３）図面の訂正
（３−１）第１図の参照符号「３６」を「３２」と訂正する。
（３−２）第５図の参照符号「３７」を「３１」と訂正する。
（５４）【発明の名称】
パチンコ機の制御装置
（５７）【特許請求の範囲】
１．遊技盤がパチンコ機本体に対して分離可能なパチンコ機において、パチンコ機背面に、ＣＰＵによって制御され、
遊技内容又は仕様が異なる複数種の前記パチンコ機にそれぞれ共通使用可能な共通プログラムが格納されているＲＯＭを備えた
、
遊技内容又は仕様が異なる複数種の各パチンコ機にそれぞれ固有な非共通プログラムが格納されている非共通ＲＯＭを備えた
　遊技盤には、上記非共通回路によって制御される入賞装置及び表示灯を設け、
　上記共通回路には、上記機構部の制御を行う基本プログラされた共通ＲＯＭを設け
ると共に、少なくともＣＰＵ及び前記共通ＲＯＭとが一体に形成されている集積回路からなり、
　上記非共通回路には、遊技の制御手順固有のプログラムを格納した非共通ＲＯＭを設けたことを特徴とするパチンコ機の制御装置。
【発明の詳細な説明】
　【０００１】
　【発明の属する技術分野】
　本発明は、遊技内容を交換するために使用するパチンコ機の制御装置に関するものである。
　【０００２】
　【従来の技術】
　近年、マイクロコンピュータの普及に伴ない複雑高度な遊技が可能になり、遊技の多様化が望まれているため、パチンコ機は一定サイクルで新規の遊技内容を有するものに交換される。この交換は経済的な理由から遊技機器の全てについて行われるものではなく、各構成部品の一部を交換している。
　【０００３】
　つぎに、上記遊技機器の交換をパチンコ機の場合を例にして以下に説明する。パチンコ機は遊技内容、いいかえれば機種が異っても基本的な装置の構成および遊技手順が変化することはなく、打球装置、賞品球払出装置など機構部の交換がなされることは少ない。すなわちパチンコ機の交換は、ゲージ盤と呼ばれる遊技盤と、遊技手順を実行するための電子制御系部品（以下、電子部品」という）によって構成される制御装置のみを交換すればよい。
　【０００４】
　ところで、上記制御装置の電子部品は第７図に示すように基板に実装され、ＣＰＵ３０など、交換後のパチンコ機にも共通に使用可能な回路を構成する共通電子部品と、固有の遊技手順（プログラム）を格納したＲＯＭ２０など、共通使用不可能な回路を構成する非共通電子部品とに分類される。このため遊技盤は、その意匠上の理由からも、全てを新たなものに交換する必要があるが、電子部品においては、非共通なもののみを新たに交換することが経済的に望ましい。
　【０００５】
　上記の共通電子部品には、ＣＰＵ３０、ＲＡＭ３１、基本プログラムを格納したＲＯＭ３２、機構部（図示省略）とＣＰＵ３０との基本的な整合を図るための整合回路３３、電源回路３４、基本的な音声を発生させる音声信号発生回路２８、および、抵抗器などがある。
　【０００６】
　他方、非共通電子部品には、新遊技盤の遊技手順など固有プログラムとデータとを格納したＲＯＭ２０、記憶容量拡張用のＲＡＭ３７、前記機構部とＣＰＵ３０との固有な整合を図る整合回路３８、固有音声を発生させる音声信号発生回路３５、固有な機構を制御する回路および抵抗器などがある。
　【０００７】
　これらの電子部品のうち、非共通電子部品のみを新たに交換するには旧遊技盤をパチンコ機の設置場所から外し、旧遊技盤の共通電子部品を取外す。そして、
この取外した共通部品を予め非共通電子部品が装着された新遊技盤に装着し、この新遊技盤をこれらの電子部品とともに前記設置場所に再設置する。
　【０００８】
　すなわちパチンコ機の電子部品において、旧遊技盤の共通電子部品は再利用され、非共通電子部品のみを交換したことになる。この再設置後に機構部と電子部品との電子系の検査および機構部と電子部品との整合を検査してパチンコ機の交換を終了する。このパチンコ機に関する電子部品の交換作業は各電子部品を共通または非共通なもの毎に分類実装した２種の複数基板単位で行われていた。
　【０００９】
　【発明が解決しようとする課題】
　前記のように、電子部品（制御装置）を遊技盤とともに全て交換した場合に経済的問題が生じるが、非共通電子部品のみを交換する場合には以下に説明するような問題があるので、現状では新遊技盤用の全ての電子部品が実装された単体基板を新遊技盤に装着し、旧遊技盤をこの新遊技盤に交換していた。
　【００１０】
　第１に交換作業および交換作業後に遊技機の機構、電子部品、および両者の整合に関する各種検査を行わなければならず、この検査作業に要する工数が多い。さらに、基板を共通電子部品と非共通電子部品とに分離しているため、基板の信号線デザインおよび回路設計など基板設計上の制限が大きくなる。このため、パチンコ機の交換作業および基板の開発に多くの時間を要するために作業能率が悪い。
　【００１１】
　第２に、共通電子部品と非共通電子部品とは複数枚の基板に分離されており、通常これらの各基板はコネクタを介して制御回路、各基板などに連結されている。このため、第８図に示すようにコネクタが増加するので各電子部品を単体基板に実装した場合より連結箇所が多くなり、振動などに起因する接触不良による不良品発生の可能性が大きくなる。
　【００１２】
　したがって、生産時にはランニングコストが増加し、パチンコ機の遊技（作動）時には故障発生率が増加する傾向にあるため製品信頼度が低下する。そして、これらのランニングコスト増加および製品信頼度低下を抑制するため、コネクタの接続箇所を半田付によって接続する方法があるが、この半田付作業は前記複数枚の各基板への電子部品実装時の他に、各基板の接続時に行わなければならない。このため、作業工数が増加する。
　【００１３】
　第３に、共通電子部品は全てのパチンコ機に使用可能であり、またＲＯＭは書き込み内容を所定のものに変更することによって全てのパチンコ機に使用可能になる。しかしながら、回収された共通電子部品およびＲＯＭを再利用するときには、これらの電子部品の基本性能を充分検査する必要があるので、多くの時間を要するとともに、電子部品の信頼度が低下する。
　【００１４】
　第４に、これらの基板は従来の単体の基板を分離してコネクタで一体に形成しているので、各基板は従来のものより小型化されている。これにより、着脱が容易であるために基板上の回路およびＲＯＭ内容を変更するなど不正行為発生の可能性が大きくなる。そのため、本発明は交換が容易、確実でありかつ不正行為防止対策手段を有する遊技機器を提供するものである。
　【００１５】
　【課題を解決するための手段】
　本発明は上記課題を解決するために、請求項１に係る発明においては、遊技盤１９がパチンコ機本体に対して分離可能なパチンコ機において、パチンコ機背面に、ＣＰＵによって制御され、
遊技内容又は仕様が異なる複数種の前記パチンコ機にそれぞれ共通使用可能な共通プログラムが格納されているＲＯＭを備えた
、
遊技内容又は仕様が異なる複数種の各パチンコ機にそれぞれ固有な非共通プログラムが格納されている非共通ＲＯＭを備えた
ると共に、少なくともＣＰＵ及び前記共通ＲＯＭとが一体に形成されている集積回路からなり、
　【００１６】
　削除
　【００１７】
　本発明に
おいて、
が
球
が
　【００１８】
　【発明の実施の形態】
　以下に、本発明の一実施の形態を図面に基づいて詳細に説明する。第２図は本発明のパチンコ機の制御装置１を備えた、パチンコ機２の裏側を示している。遊
技機器の制御装置１は基板３６に実装された各電子部品で構成され、３で示す基板ボックス内に従来同様に収容されている。
　【００１９】
　４は賞品球を貯溜する貯溜タンク、５は払出数を複数種類設けた賞品球払出装置６に貯溜タンク４の賞品球を誘導する誘導樋、７は基板３６に制御される打球装置で、この打球装置７は第１図および第３図ないし第４図に示す出力装置（後述）１０の一部を構成している。なお、基板３６の信号線の図示は省略してあり、１１は基板３６に制御信号を入力する入力装置を表わす。
　【００２０】
　パチンコ機２は本体である中枠１２と、中枠１２にヒンジ１５によって開閉可能な外枠１４と、中枠１２に設けた遊技盤収納枠１６とを主構成としている。この遊技盤収納枠１６には遊技盤１９がロック部材１８によって着脱可能に設けてある。　さらに、４４は上皿、４５
は
　【００２１】
　入力装置１１は基板３６に遊技を行うための信号を入力するもので、基板３６には入力装置１１からの入力信号と、予めＲＯＭ（後述）２０に格納された固有の遊技手順とに基いて出力装置１０に制御信号を入力する制御回路２９が組み込まれている。入力装置１１は打球装置７を作動させる打球開始スイッチ２１と、打球されたパチンコ球の入賞をパチンコ球の近接により検知する入賞検知スイッチ２２とを主構成とする。
　【００２２】
　打球開始スイッチ２１はパチンコ機２の表側右下に設けたハンドル２３に内蔵され、ハンドル２３
の
　【００２３】
　入賞検知スイッチ２２は近接センサからなり、遊技盤１９の面に配設された入賞口２４内に収容されたリング状のものである。入賞検知スイッチ２２は入賞球が前記リング内を通過することによって、打球されたパチンコ球が入賞したことを表わす信号を発生させる。２５はアウト球孔である。
　【００２４】
　そのほかの主な入力装置１１としては、特定の入賞状態を検知するとともに特定入賞を表わす信号を発生させる特定入賞検知スイッチ（図示省略）などがある。
　【００２５】
　出力装置１０は基板３６から入力される制御信号に基づいて遊技手順を実行するもので、打球装置７など共通使用可能なものと、パチンコ機２に固有な共通使用不可能なものとがある。共通使用不可能なものには、たとえば本実施例の場合、遊技盤１９表側には前記特定入賞検知スイッチの特定の入賞条件に応じて入賞確率を上昇させる開閉翼２６、各種の入賞状態をランプの点灯によって表示する表示装置２７が配設してある。
　【００２６】
　また、そのほかの主な出力装置１０としてはパチンコ機２の表側に設けた各種の入賞状態を音声で表示するスピーカ（図示省略）、該スピーカに音声信号を入力する音声信号発生回路２８，３５などがある。
　【００２７】
　基板３６は出力装置１０を制御するための制御回路２９を構成する電子部品と、基板３６に設けたプリント配線（図示省略）とからなるもので、第１図に破線で示すように、共通回路８および非共通回路９に分けられている。共通回路８は遊技内容または仕様が異る複数種類のパチンコ機２にそれぞれ共通使用可能であり、非共通回路９は前記複数種の各パチンコ機２
に固
　【００２８】
　共通回路８はＣＰＵ３０、ＲＡＭ３１、基本（共通）プログラムを格納したＲＯＭ３２、各パチンコ機２の共通の機構部（図示省略…例えば、打球装置、賞品球払出装置など）とＣＰＵ３０との基本的な整合を図る整合回路３３、パチンコ機２の異常報知などの共通に使用可能な音声を発生させる音声信号発生回路２８、電源回路３４、発振回路４０、割込信号発生回路４１および抵抗器（図示省略）などの電子部品で構成される。
　【００２９】
　他方、非共通回路９は各パチンコ機２の遊技手順などの固有（非共通）プログラムとデータとを格納したＲＯＭ２０、記憶容量拡張用のＲＡＭ１３７、前記機構部のうちのパチンコ機２に固有のもの（例えば、開閉翼など所定の条件に応じて入賞確率を上昇させるもの）とＣＰＵ３０との整合を図る整合回路３８，固有音声を発生させる音声信号発生回路３５，固有な機構部（開閉翼など）を制御する機構制御回路３９および抵抗器などの電子部品で構成される。
　【００３０】
　この非共通回路９は集積回路化してあり、第６図および第７図に示すように、デュアルインラインパッケージ（以下、『ＤＩＰ』…Ｄｕａｌ　Ｉｎｌｉｎｅ　Ｐａｃｋａｇｅ…という）４２に形成されている。４９はベアチップ、５０は金ワイヤ、５１はピン、５２はリードフレーム、５３は接着剤、１３は配線シート、１７はパッケージ基材である。また、４３はＤＩＰ４２を着脱可能に実装するソケットである。
　【００３１】
　つぎに、上記構成に係る基板３６が装着されたパチンコ機２を、当該パチンコ機２と異る遊技手順（遊技内容）のパチンコ機２に交換する場合を以下に説明する。なお、以下、交換前に設置個所に設置されているパチンコ機２を旧パチンコ機といい、交換後に設置個所に設置されているパチンコ機２を新パチンコ機という。
　【００３２】
　まず、旧パチンコ機２の電源回路３４の機能を解除したのち、図示を省略した信号線などを適宜処理しながらロック部材１８を解除して遊技盤１９を取り外す。そして基板ボックス３から基板３６を取り外して、ＤＩＰ４２すなわち非共通回路９をソケット４３から引き抜く。しかるのち、新パチンコ機２のＤＩＰ４２すなわち非共通回路９をソケット４３に挿入し、基板３６を新パチンコ機２の基板ボックス３に装着して基板３６の交換を終了する。
　【００３３】
　なお、本実施例は非共通回路９のみを集積回路化したがどれに限定されるものではなく、共通回路８のみ、または共通回路８と非共通回路９とをともに集積回路化しても良い。さらに本実施例における集積回路は、集積回路のチップをＤＩＰ４２に収めた場合を説明したが、チップをボンディングなどによって基板３６に組み込んでもよい。この場合には、ほかの電子部品をソケット４３に着脱可能に実装する。
　【００３４】
【発明の効果】
　本発明は、以上のように構成したものであって、パチンコ機全体を本体側と遊技側に分離可能とし、各機種の制御に共通な部分は本体側のＲＯＭに設けられ、機種に応じて制御が異なる部分、特に遊技の制御手順に固有のプログラムは、遊技盤側のＲＯＭに格納されている
ので、
【図面の簡単な説明】
　【図１】
本発明の一実施例の構成を表したブロック図である。
　【図２】
第１図のものを収容したパチンコ機裏側を表した背面図である。
　【図３】
第２図の正面図である。
　【図４】
第３図の遊技盤の着脱状態を表した斜視図である。
　【図５】
第１図の斜視図である。
　【図６】
第１図の集積回路をＤＩＰで構成した場合を表した正面図である。
　【図７】
従来の遊技機器の制御基板を示した斜視図である。
　【図８】
図７と異なる従来例を示した斜視図である。
　【符号の説明】
１　　遊技機器の制御基板
２　　パチンコ機
８　　共通回路
９　　非共通回路
１０　出力装置
１１　入力装置
２９　制御回路
４２　デュアルインラインパッケイジ
【図面】